(57)【要約】この発明は、紙巻きたばこ又はその他の物品用ヒンジ蓋付パッケージに関し、このパッケージは、一般的にパッケージ部分と蓋部分から構成されている。閉じた状態では、この発明のパッケージは、真っ直ぐなパッケージ稜線部、即ち横の稜線部（３１，３２，３３，３４）に加えて、縦の稜線部（２９，３０）を有する。縦の稜線部（２９，３０）又は横の稜線部（３１，３４）は、丸い断面を持つ突出した稜線部（３５）又は丸い断面を持つ窪みとして実現されている。
2006504590.tif 000002
【特許請求の範囲】
【請求項１】
ボックス体（１０）、蓋体（１１）及びカラー部（１２）から構成され、（真っ直ぐな）縦の稜線部（２９，３０）とこの縦の稜線部に対して交差して延びる横の稜線部（３１，３２）を有する、特に紙巻きたばこ用の、（薄い）ボール紙又は同様のパッケージ材料から成るヒンジ蓋付ボックスにおいて、
縦の稜線部（２９，３０）及び／又は横の稜線部（３１，３２，３３，３４）が、パッケージ材料を変形又はエンボス加工することによって、丸い断面を持つ外側に向いた突出部（３５）又は丸い断面を持つ内側に向いた窪み（４０）として構成されていることを特徴とするヒンジ蓋付パッケージ。
【請求項２】
突出部（３５）として構成されたパッケージ稜線部が、ピッチ円の形状で、ほぼ４分の３円の形状に相当する断面を有することを特徴とする請求項１に記載のヒンジ蓋付パッケージ。
【請求項３】
窪み（４０）として構成されたパッケージ稜線部が、ピッチ円の形状で、ほぼ４分の１円の形状に相当する断面を有することを特徴とする請求項１に記載のヒンジ蓋付パッケージ。
【請求項４】
４つのすべての縦の稜線部（２９，３０）が、一様に突出部（３５）又は窪み（４０）として構成されていることを特徴とする請求項１から３までのいずれか一つに記載のヒンジ蓋付パッケージ。
【請求項５】
一方で頂部壁面（１８）を、他方で底部壁面（１５）を区切っている、上方及び下方の横の稜線部（３１... ３４）が、突出部（３５）又は窪み（４０）として構成されていることを特徴とする請求項１から４までのいずれか一つに記載のヒンジ蓋付パッケージ。
【請求項６】
カラー部（１２）が、縦の稜線部（２９，３０）と形状が一致するカラー稜線部（４３，４４）を有することを特徴とする請求項１から５までのいずれか一つに記載のヒンジ蓋付パッケージ。
【請求項７】
横の稜線部（３１... ３４）を突出部（３５）又は窪み（４０）として構成するために、コーナータブ、即ち底部コーナータブ（２７）及び／又は頂部コーナータブ（２８）を、より小さい幅で構成して、コーナータブ（２７，２８）を、ちょうど突出部（３５）又は窪み（４０）として構成された横の稜線部（３１... ３４）間に配置することができるようにしていることを特徴とする請求項１から６までのいずれか一つに記載のヒンジ蓋付パッケージ。
【請求項８】
突出部（３５）及び／又は窪み（４０）が、１．５ｍｍ〜４ｍｍの半径を有することを特徴とする請求項１から７までのいずれか一つに記載のヒンジ蓋付パッケージ。
【請求項９】
ブランクは、その折り曲げていない状態において、縦の稜線部（２９，３０）及び／又は横の稜線部（３１，３２，３３，３４）の領域に、変形によって形成された（ほぼ）半円形状の断面を有するエンボス加工部（４６）又は補強継ぎ目（４７）を備えており、そして所定の寸法のエンボス加工部（４６）又は補強継ぎ目（４７）に対して、エンボス加工部（４６）又は補強継ぎ目（４７）よりも、突出部（３５）が、より小さい半径を、窪み（４０）が、より大きな半径を持つように、折込タブ又は壁面を折り曲げて、エンボス加工部（４６）又は補強継ぎ目（４７）を変形させることによって、突出部（３５）又は窪み（４０）が形成されることを特徴とする請求項１から８までのいずれか一つに記載のヒンジ蓋付パッケージ。
【発明の詳細な説明】
【技術分野】
【０００１】
この発明は、ボックス体、蓋体及びカラー部から構成された、（真っ直ぐな）縦の稜線部とこれと交差する横の稜線部を有する、特に紙巻きたばこ用の、（薄い）ボール紙又は同様のパッケージ材料から成るヒンジ蓋付ボックスに関する。
【背景技術】
【０００２】
ヒンジ蓋付ボックスは、紙巻きたばこのパッケージとして世界中で知られている。しかし、ヒンジ蓋付ボックスは、チョコレートやキャンディーなどのその他の製品用に使用するのに適したパッケージでもある。
【０００３】
紙巻きたばこ用のヒンジ蓋付パッケージは、ボックス体と蓋体の丸い又は傾斜した（真っ直ぐな）縦の稜線部を持つものとして知られている。ヒンジ蓋付ボックスは、この形状のパッケージ稜線部が、パッケージの内容物、即ち一群の紙巻きたばの外側の曲面と一致するようになっている。
【発明の開示】
【発明が解決しようとする課題】
【０００４】
この発明の課題は、紙巻きたばこ及びその他の製品用のヒンジ蓋付ボックスの更なる発展及び改善を実現して、得られたボックス構造が、機械的な負荷に対して向上した寸法安定性を示すようにすることである。
【課題を解決するための手段】
【０００５】
この課題を解決するために、この発明にもとづくヒンジ蓋付ボックスは、縦の稜線部及び／又は横の稜線部が、パッケージ材料の変形又はエンボス加工によって、丸い断面を持つ外側に向いた突出部又は丸い断面を持つ内側に向いた窪みとして構成されていることを特徴としている。
【０００６】
これらの突出部及び窪みは、好ましくは円形状の断面を有するように形成されている。この突出部は、４分の３円の断面形状を有する。この窪みは、４分の１円の断面形状を有する。
【０００７】
この真っ直ぐな（４つの）縦の稜線部及び／又は（頂部壁面及び底部壁面を区切る）上方と下方の横の稜線部の曲面構造は、圧力負荷に対するパッケージの寸法安定性における改善を明らかに達成している。このことは、（突出部又は窪みの配置に依存して）縦と横の負荷に対しても言える。
【０００８】
真っ直ぐな縦の稜線部が突出部として形成されている場合、従来の直角のカラー稜線部で形成されたカラー部を使用することができる。しかし、好都合には、カラー部は、真っ直ぐなカラー稜線部の領域において、ボックス体及び蓋体と一致する相応の曲面を有する。
【０００９】
また、このヒンジ蓋付ボックスに対するブランクは、底部壁面と頂部壁面の領域における特別な構造を特徴とする。このことは、ブランクを折り曲げてヒンジ蓋付ボックスを製作することに対しても言える。このブランクは、曲面を付ける縦の稜線部又は横の稜線部の領域に、溝を付けたエンボス加工部を有し、このエンボス加工部は、ブランクの工業生産時又はパッケージ化機械の段階で付与することができるものである。その手順は、ブランクに半円の断面を有する押型又はエンボス加工で作った溝を持たせるなどである。製作するパッケージ稜線部の形状（突出部又は窪み）に依存して、折込タブを、一方の方向又は他方の方向に折り曲げて、それによって半円の補強継ぎ目から、より小さい半径を持つ（円形の）突出部又はより大きい半径を持つ（４分の１円の）窪みを製作するものである。
【発明を実施するための最良の形態】
【００１０】
以下において、ヒンジ蓋付ボックス及びこのヒンジ蓋付ボックスを製作するためのブランクの更なる特別な特徴を、図面に描いた実施例にもとづき、より詳細に説明する。
【００１１】
標準のヒンジ蓋付パッケージは、（下方の）ボックス体１０と（上方の）蓋体１１で構成されている。更に、カラー部１２は、ヒンジ蓋付パッケージの構成部分である。ボックス体１０と蓋体１１は、裏側に有る旋回用ヒンジ線１３によって互いに繋がっている。従って、ボックス体１０と蓋体１１は、一つの共通のブランクから作られている（例えば図６）。この場合、パッケージの内容物は、インナーライナー４９で包まれた一群の紙巻きたばこ４８である。
【００１２】
ここに示した実施例では、このヒンジ蓋付パッケージ用ブランクは、ボックス体前方壁面１４、底部壁面１５、ボックス体後方壁面１６、蓋体後方壁面１７、頂部壁面１８並びに蓋体前方壁面１９を形成する区切られた領域が互いに連続して連なっている形で構成されている。蓋体前方壁面１９の自由端には、蓋体内側タブ２０が繋がっており、このタブは、完成したヒンジ蓋付パッケージでは、蓋体前方壁面１９の内側に折り曲げられている。
【００１３】
ボックス体側方壁面２１と蓋体側方壁面２２を形成するために、側方タブ、特に内側ボックス体側方タブ２３と外側ボックス体側方タブ２４が、当該の壁面に繋がっている。対応する内側蓋体側方タブ２５と外側蓋体側方タブ２６が、蓋体の領域に配備されている。これらのボックス体側方タブ２３と２４は、互いに重ね合わされて、ボックス体側方壁面２１を形成する。同様に、蓋体側方タブ２５，２６は、重ね合わされて、互いに結合され、蓋体側方壁面２２を形成する。
【００１４】
更なる折込タブ、即ち一方における底部コーナータブ２７と他方における頂部コーナータブ２８が、内側ボックス体側方タブ２３と内側蓋体側方タブ２５に繋がっている。
【００１５】
完成したヒンジ蓋付パッケージでは、これらの折込タブは、それぞれ底部壁面１５の内側と頂部壁面１８の内側に有る。
【００１６】
これらの側方折込タブ２３，２４，２５，２６は、折込線、即ち縦の折込線によって、壁面１４，１６，１７，１９と区切られており、これらの折込線は、完成した立方体形のパッケージ（例えば図１）では、パッケージの真っ直ぐな稜線部、特に縦の稜線部２９，３０を形成する。これらは、ボックス体１０と蓋体１１の領域に延びている。
【００１７】
一方のボックス体前方壁面１４と他方のボックス体後方壁面１６は、横の折込線によって、底部壁面１５と区切られており、これらの折込線は、完成したパッケージでは、とにかく縦の稜線部２９，３０と交差して延びる水平な横の稜線部３１，３２を形成する。同様に、横の稜線部３３，３４は、頂部壁面１８を、一方で蓋体後方壁面１７と、他方で蓋体前方壁面１９と区切るために、蓋体１１の領域に形成されている。
【００１８】
一方の縦の稜線部２９，３０と他方の横の稜線部３１... ３４は、材料の変形又はエンボス加工によって、特別な形態に形成されている。図１と図２の実施例では、真っ直ぐな縦の稜線部２９，３０は、丸い断面を持つ外側に向いた突出部３５として形成されている。ここに示した特別な実施例では、これらは、ピッチ円形状の、即ち４分の３円の形をした断面を持つ突出部３５である。この突出部３５は、両側を中間稜線部３６，３７を介して、隣接する壁面及び折込タブと繋がっている。ピッチ円形状の突出部３５として構成された縦の稜線部２９，３０は、ボックス体１０の領域に延びており、特に４つのすべての縦の稜線部２９，３０の領域において、蓋体１１の領域に途切れることなく続いている。
【００１９】
図１と図２にもとづくヒンジ蓋付パッケージを製造するためのブランク（図６）を準備する。好都合には、このブランクの製造時に、縦の稜線部２９，３０の領域に変形を加えて、この実施例では半円形状のエンボス加工部４６（図８）としている。更に、このブランクは、底部コーナータブ２７と頂部コーナータブ２８の領域（図７）に特別な構造を有する。当該のコーナータブ２７，２８は、打ち抜き部３８によって短くされており、相応のコーナータブ２７，２８と隣接する折込タブ間に隙間を形成している。更に、突出部３５を形成するための変形又はエンボス加工部４６は、それらの端部を、突出部の幅を超えて延びている横の切込み３９によって区切られており、従って底部壁面１５又は頂部壁面１８に対して相対的に折り曲げる処理の間に、応力を生じさせない突出部３５の変形を可能とするものである。
【００２０】
ボックス体側方壁面２１及び蓋体側方壁面の折込タブは、関連する突出部３５間の領域で、これらが重なり合う寸法とする、即ち中間稜線部３６から中間稜線部３７にまで延びている。
【００２１】
図３による実施例では、ヒンジ蓋付パッケージの真っ直ぐな縦の稜線部２９，３０は、窪み４０として構成されている。また、その断面は、特に４分の１円の寸法を持った、曲線又は円の形状を有する。ここでは、中間稜線部３６，３７は、外側を向いている。
【００２２】
一つの特徴は、一方における図１，図２と他方における図３によるパッケージ形状に対して、図６による形状の実質的に同一のブランクを使用することができることである。どちらのケースにおいても、形成しようとしている突出部３５又は窪み４０の領域に、押型し、溝を付けたエンボス加工部４６を配備して、特に突出部３５を形成するにはブランクの印刷側に膨らみを持たせるように、そして窪み４０を形成するには印刷されていない内側に膨らみを持たせるようにしている。
【００２３】
突出部３５又は窪み４０は、特に簡単な形態で作られる。突出部３５又は窪み４０を作るには、折込タブを折り曲げることによって、即ち特にボックス体側方タブ２３，２４を折り曲げることによって、並びに蓋体側方タブ２５，２６を隣接するパッケージ壁面と交差する位置にまで折り曲げることによって、（ほぼ）半円形の断面を持つエンボス加工部４６が形成される。図９では、図８のエンボス加工部４６は、４分の１円の窪み４０を生み出しており、その寸法（半径）は、エンボス加工部４６の対応する寸法よりやや大きい。突出部３５を作るために、当該の折込タブを折り曲げた場合、その結果は、それによって形成される４分の３円の寸法を減少させることとなる（図１０）。図８に関して、作り出すパッケージの稜線部の形状に依存して、エンボス加工部４６をブランクの一方の側又は他方の側に向けるものであると言える。
【００２４】
一方ではエンボス加工部４６の、他方では突出部３５又は窪み４０の寸法は、所望の構造に応じて選定することができる。この点に関して、有利には、突出部３５又は窪み４０の寸法は、１．５ｍｍ〜４ｍｍの半径ｒを有する。
【００２５】
カラー部１２は、ヒンジ蓋付パッケージの一つ又は別の実施形態に対応して構成することができる。通常、カラー部１２は、カラー前方壁面４１と側面の横に折り曲げられたカラーフラップ部４２で構成される。これらの間には、前方側の縦の稜線部２９，３０と関連し合う真っ直ぐなカラー稜線部４３，４４が形成されている。図１１の左に図示したとおり、図１と図２によるヒンジ蓋付パッケージ用のカラー部１２は、４分の３円形状の断面を持つ突出部として形成されたカラー稜線部４３を有する。カラー稜線部４３又は突出部の寸法は、縦の稜線部２９，３０の突出部３５の寸法と一致する。
【００２６】
同様に、図１１の右に図示したカラー部１２は、図３にもとづくパッケージ実施形態用に構成されたものである、即ち４分の１円の窪みとして構成されたカラー稜線部４４を有する。幾何学的な比例関係に関して、このパッケージ（図３）に対しては、このカラー稜線部４４の良く適合する構造が重要である。図１と図２にもとづくパッケージに対しては、直角の断面を持つカラー稜線部を有する従来のカラーを使用することが可能である。
【００２７】
これに代わって、又はこれに加えて、個々の又はすべての横の稜線部３１... ３４に形状を与えて、ここで述べた実施形態の突出部３５又は窪みのどちらかを形成することができる。図１２〜図１５は、ボックス体１０と蓋体１１の４つのすべての横の稜線部３１... ３４に、ヒンジ蓋付パッケージの全幅に渡って延びる突出部３５を形成したヒンジ蓋付パッケージの詳細を図示している。
【００２８】
このブランク（図１３）は、横の折込線又は横の稜線部３１... ３４が、成形又はエンボス加工によって形成される（ほぼ）半円形の補強継ぎ目４７を備える形で構成されている。ボックス体前方壁面１４とボックス体後方壁面１６が、底部壁面１５に対して相対的に折り曲げられた場合、及び蓋体前方壁面１９と蓋体後方壁面１７が、頂部壁面１８に対して相対的に折り曲げられた場合、当該の補強継ぎ目４７は、４分の３円の断面を持つ丸い突出部３５を形成する（図１４）。これに代わって、ヒンジ蓋付パッケージの横の稜線部３１... ３４を、図９による窪みと同様の窪みとして構成することができる。しかし、この実施形態では、パッケージの内容物をヒンジ蓋付パッケージの減少した内側寸法に適合するように調整する必要がある。
【００２９】
一つの特徴は、底部コーナータブ２７と頂部コーナータブ２８の構造である。打ち抜き部４５により、並びに隣接するボックス体側方タブ２３と蓋体側方タブ２６に比べて減少した幅のために、当該のコーナータブは、完成したパッケージにおいて、これらが、形成された横の稜線部３１... ３４の間で、正しく、とにかく中央の位置に有るように構成される。このブランクの実施例（図１３）では、内側の折込タブ２３，２５，２７，２８は、同じ幅で連続して構成されており、この幅は、折込タブ２４，２６に対して減少されている。
【図面の簡単な説明】
【００３０】
【図１】閉じた状態での、真っ直ぐな縦の稜線部を形成されたヒンジ蓋付パッケージの斜視図。
【図２】蓋体を開けた状態での図１のパッケージ。
【図３】図１に対応する、ヒンジ蓋付パッケージの別の実施例の図。
【図４】図１のヒンジ蓋付パッケージのＩＶ−ＩＶにおける断面の部分拡大図。
【図５】図３の実施例に対する図４と同様の部分拡大図。
【図６】図１、図２又は図３の実施例によるヒンジ蓋付パッケージに対するブランクの展開図。
【図７】図６のブランクの一点鎖線で囲んだ領域の拡大図。
【図８】図６のＶＩＩ−ＶＩＩにおける部分断面図。
【図９】折り曲げる途中の位置での、図８のブランクの一部、即ち細部の図。
【図１０】図１、図２の実施例に対する図９と同様の図。
【図１１】図１、図２又は図３のヒンジ蓋付パッケージに対するカラー部の斜視図。
【図１２】別の実施例による横の稜線部を形成されたヒンジ蓋付パッケージの斜視図。
【図１３】図１２のヒンジ蓋付パッケージに対するブランクの展開図。
【図１４】図１２のヒンジ蓋付パッケージの断面ＸＩＶ−ＸＩＶにおける垂直断面の拡大図。
【図１５】図１３のブランクの一部の断面ＸＶ−ＸＶにおける断面図。
【符号の説明】
【００３１】
１０    ボックス体
１１    蓋体
１２    カラー部
１３    ヒンジ線
１４    ボックス体前方壁面
１５    底部壁面
１６    ボックス体後方壁面
１７    蓋体後方壁面
１８    頂部壁面
１９    蓋体前方壁面
２０    蓋体内側タブ
２１    ボックス体側方壁面
２２    蓋体側方壁面
２３    （内側の）ボックス体側方タブ
２４    （外側の）ボックス体側方タブ
２５    （内側の）蓋体側方タブ
２６    （外側の）蓋体側方タブ
２７    底部コーナータブ
２８    頂部コーナータブ
２９    縦の稜線部
３０    縦の稜線部
３１    横の稜線部
３２    横の稜線部
３３    横の稜線部
３４    横の稜線部
３５    突出部
３６    中間稜線部
３７    中間稜線部
３８    打ち抜き部
３９    切込み
４０    窪み
４１    カラー前方壁面
４２    カラーフラップ
４３    カラー稜線部
４４    カラー稜線部
４５    打ち抜き部
４６    エンボス加工部
４７    補強継ぎ目
４８    一群の紙巻きたばこ
４９    インナーライナー
【図１】
2006504590.tif 000003
【図２】
2006504590.tif 000004
【図３】
2006504590.tif 000005
【図４】
2006504590.tif 000006
【図５】
2006504590.tif 000007
【図６】
2006504590.tif 000008
【図７】
2006504590.tif 000009
2006504590.tif 000010
【図１１】
2006504590.tif 000011
【図１２】
2006504590.tif 000012
【図１３】
2006504590.tif 000013
【図１４】
2006504590.tif 000014
【図１５】
2006504590.tif 000015
【国際調査報告】
2006504590.tif 000016
2006504590.tif 000017
2006504590.tif 000018
2006504590.tif 000019